(57)【要約】【課題】オールデジタル方式のＨＤラジオ放送の音声出力開始時にノイズが出力されることを防止することができるラジオ受信機を提供する。【解決手段】Ｓメータ検出器９によりＩＦ信号の電界強度を検出し、また、ＩＦ信号をＡＭ検波して得られる信号のうち所定の周波数帯域の信号を通過させるバンドパスフィルタ１６を通過した信号の強度をパワー検出器１７で検出する。制御器１８は、Ｓメータ検出器９の出力およびバンドパスフィルタ１６の出力信号の信号強度に基づいて、オールデジタル方式のＨＤラジオ放送を受信しているかどうかを判断し、オールデジタル方式のＨＤラジオ放送を受信している場合は、音声出力開始時において音声出力をミュートする時間を、アナログ放送等を受信した場合の音声出力開始時のミュート時間（第１の時間）よりも長い第２の時間とするようにミュート回路１４を制御する。【選択図】図１
2008113300.tif 000002
【特許請求の範囲】
【請求項１】
局部発振信号を生成する局部発振器と、
前記局部発振信号の周波数を設定するための制御信号を前記局部発振器に供給するＰＬＬ回路と、
受信アンテナから入力される受信信号と前記局部発振器で生成された前記局部発振信号とを混合して前記受信信号に含まれる所定の放送周波数の信号を中間周波数信号に変換する混合器と、
この混合器で生成された前記中間周波数信号の電界強度を検出する電界強度検出器と、
前記混合器で生成された前記中間周波数信号をＡＭ検波して第１のアナログ音声信号を生成する検波器と、
この検波器で生成された前記第１のアナログ音声信号のうち、所定の周波数帯域の信号を通過させるバンドパスフィルタと、
このバンドパスフィルタを通過した信号の強度を検出する信号強度検出器と、
前記混合器で生成された前記中間周波数信号を復調して前記中間周波数信号にデジタル変調信号が含まれるか否かを判定するとともに、前記中間周波数信号にデジタル変調信号が含まれると判定した場合には、前記中間周波数信号を復調することにより得られるデジタル音声信号を出力する復調器と、
この復調器で生成された前記デジタル音声信号をアナログ変換して第２のアナログ音声信号を生成するＤ／Ａ変換器と、
前記第１のアナログ音声信号と前記第２のアナログ音声信号とを切り替えて出力する切替器と、
この切替器から出力される前記第１のアナログ音声信号または前記第２のアナログ音声信号を音声に変換して出力するスピーカと、
前記スピーカからの前記第１のアナログ音声信号または前記第２のアナログ音声信号の出力を停止させるミュート回路と、
外部からの選局指示に応じて、前記ＰＬＬ回路から前記局部発振器に供給する制御信号を設定するための指示信号を出力するとともに、前記電界強度検出器で検出した電界強度が所定の電界強度以下のとき、または前記信号強度検出器で検出した信号強度が所定の信号強度以下のとき、前記ＰＬＬ回路に指示信号を出力してから所定の第１の時間が経過するまでの期間は前記スピーカからの出力を停止するように前記ミュート回路を制御し、前記電界強度検出器で検出した電界強度が所定の電界強度より大きく、かつ前記信号強度検出器で検出した信号強度が所定の信号強度より大きいとき、前記ＰＬＬ回路に指示信号を出力してから前記第１の時間より長い第２の時間経過するまでの期間は前記スピーカからの出力を停止するように前記ミュート回路を制御する制御器と
を備えることを特徴とするラジオ受信機。
【請求項２】
局部発振信号を生成する局部発振器と、
前記局部発振信号の周波数を設定するための制御信号を前記局部発振器に供給するＰＬＬ回路と、
受信アンテナから入力される受信信号と前記局部発振器で生成された前記局部発振信号とを混合して前記受信信号に含まれる所定の放送周波数の信号を中間周波数信号に変換する混合器と、
この混合器で生成された前記中間周波数信号の電界強度を検出する電界強度検出器と、
前記混合器で生成された前記中間周波数信号をＡＭ検波して第１のアナログ音声信号を生成する検波器と、
この検波器で生成された前記第１のアナログ音声信号のうち、所定の第１の周波数帯域の信号を通過させる第１のバンドパスフィルタと、
前記検波器で生成された前記第１のアナログ音声信号のうち、前記第１の周波数帯域よりも高い第２の周波数帯域の信号を通過させる第２のバンドパスフィルタと、
前記第１のバンドパスフィルタを通過した信号の強度と、前記第２のバンドパスフィルタを通過した信号の強度とを検出する信号強度検出器と、
前記混合器で生成された前記中間周波数信号を復調して前記中間周波数信号にデジタル変調信号が含まれるか否かを判定するとともに、前記中間放送周波数信号にデジタル変調信号が含まれると判定した場合には、前記中間周波数信号を復調することにより得られるデジタル音声信号を出力する復調器と、
この復調器で生成されたデジタル音声信号をアナログ変換して第２のアナログ音声信号を生成するＤ／Ａ変換器と、
前記第１のアナログ音声信号と前記第２のアナログ音声信号とを切り替えて出力する切替器と、
この切替器から出力される前記第１のアナログ音声信号または前記第２のアナログ音声信号を音声に変換して出力するスピーカと、
前記スピーカからの前記第１のアナログ音声信号または前記第２のアナログ音声信号の出力を停止させるミュート回路と、
外部からの選局指示に応じて、前記ＰＬＬ回路から前記局部発振器に供給する制御信号を設定するための指示信号を出力するとともに、前記電界強度検出器で検出した電界強度が所定の電界強度以下のとき、または前記第１のバンドパスフィルタを通過した信号の強度が所定の第１の信号強度以下のとき、または前記第２のバンドパスフィルタを通過した信号の強度が前記第１のバンドパスフィルタを通過した信号の強度以上のとき、前記ＰＬＬ回路に指示信号を出力してから所定の第１の時間が経過するまでの期間は前記スピーカからの出力を停止するように前記ミュート回路を制御し、前記電界強度検出器で検出した電界強度が所定の電界強度より大きく、かつ前記第１のバンドパスフィルタを通過した信号の強度が所定の第１の信号強度より大きく、かつ前記第２のバンドパスフィルタを通過した信号の強度が前記第１のバンドパスフィルタを通過した信号の強度強度より小さいとき、前記ＰＬＬ回路に指示信号を出力してから前記第１の時間より長い第２の時間経過するまでの期間は前記スピーカからの出力を停止するように前記ミュート回路を制御する制御器と
を備えることを特徴とするラジオ受信機。
【発明の詳細な説明】
【技術分野】
【０００１】
本発明は、ＨＤ（High Definition）ラジオ放送を受信可能なラジオ受信機に関する。
【背景技術】
【０００２】
従来のＡＭアナログラジオ放送を受信するラジオ受信機では、所望の放送周波数に同調した際、ＰＬＬ回路がロックされるまでの期間は音声出力をミュートし、不要なノイズが出力されることを抑止していた（例えば、特許文献１参照）。
【特許文献１】特開２００２−１７１１８１号公報
【発明の開示】
【発明が解決しようとする課題】
【０００３】
ところで、近年の放送のデジタル化に伴い、ラジオ放送でもデジタル化が進んでおり、地上波のデジタルラジオ放送として、ＨＤラジオが提案されている。
【０００４】
ＡＭでのオールデジタル方式のＨＤラジオ放送（ＭＡ３）の放送信号は、従来のアナログ変調信号がデジタル変調信号（ＯＦＤＭ）に置き換えられている。
【０００５】
ＨＤラジオ放送を受信可能なラジオ受信機においてデジタル放送を受信する場合、デジタル放送に同調してから音声を出力するまでにデコード処理などを行うため、若干の遅延が生じる。
【０００６】
このため、オールデジタル放送（ＭＡ３）受信時に、従来のアナログ放送の受信時と同様にＰＬＬ回路がロックされたタイミングで音声出力を開始すると、デジタル変調信号をデコードして得られた音声信号が出力される前に、デジタル変調信号をＡＭ検波して得られる信号がホワイトノイズとして出力されるという問題があった。
【０００７】
本発明は上記に鑑みてなされたもので、オールデジタル方式のＨＤラジオ放送の音声出力開始時にノイズが出力されることを防止することができるラジオ受信機を提供することを目的とする。
【課題を解決するための手段】
【０００８】
上記目的を達成するため、局部発振信号を生成する局部発振器と、前記局部発振信号の周波数を設定するための制御信号を前記局部発振器に供給するＰＬＬ回路と、受信アンテナから入力される受信信号と前記局部発振器で生成された前記局部発振信号とを混合して前記受信信号に含まれる所定の放送周波数の信号を中間周波数信号に変換する混合器と、この混合器で生成された前記中間周波数信号の電界強度を検出する電界強度検出器と、前記混合器で生成された前記中間周波数信号をＡＭ検波して第１のアナログ音声信号を生成する検波器と、この検波器で生成された前記第１のアナログ音声信号のうち、所定の周波数帯域の信号を通過させるバンドパスフィルタと、このバンドパスフィルタを通過した信号の強度を検出する信号強度検出器と、前記混合器で生成された前記中間周波数信号を復調して前記中間周波数信号にデジタル変調信号が含まれるか否かを判定するとともに、前記中間周波数信号にデジタル変調信号が含まれると判定した場合には、前記中間周波数信号を復調することにより得られるデジタル音声信号を出力する復調器と、この復調器で生成された前記デジタル音声信号をアナログ変換して第２のアナログ音声信号を生成するＤ／Ａ変換器と、前記第１のアナログ音声信号と前記第２のアナログ音声信号とを切り替えて出力する切替器と、この切替器から出力される前記第１のアナログ音声信号または前記第２のアナログ音声信号を音声に変換して出力するスピーカと、前記スピーカからの前記第１のアナログ音声信号または前記第２のアナログ音声信号の出力を停止させるミュート回路と、外部からの選局指示に応じて、前記ＰＬＬ回路から前記局部発振器に供給する制御信号を設定するための指示信号を出力するとともに、前記電界強度検出器で検出した電界強度が所定の電界強度以下のとき、または前記信号強度検出器で検出した信号強度が所定の信号強度以下のとき、前記ＰＬＬ回路に指示信号を出力してから所定の第１の時間が経過するまでの期間は前記スピーカからの出力を停止するように前記ミュート回路を制御し、前記電界強度検出器で検出した電界強度が所定の電界強度より大きく、かつ前記信号強度検出器で検出した信号強度が所定の信号強度より大きいとき、前記ＰＬＬ回路に指示信号を出力してから前記第１の時間より長い第２の時間経過するまでの期間は前記スピーカからの出力を停止するように前記ミュート回路を制御する制御器とを備えることを特徴とする。
【０００９】
また、本発明のラジオ受信機は、局部発振信号を生成する局部発振器と、前記局部発振信号の周波数を設定するための制御信号を前記局部発振器に供給するＰＬＬ回路と、受信アンテナから入力される受信信号と前記局部発振器で生成された前記局部発振信号とを混合して前記受信信号に含まれる所定の放送周波数の信号を中間周波数信号に変換する混合器と、この混合器で生成された前記中間周波数信号の電界強度を検出する電界強度検出器と、前記混合器で生成された前記中間周波数信号をＡＭ検波して第１のアナログ音声信号を生成する検波器と、この検波器で生成された前記第１のアナログ音声信号のうち、所定の第１の周波数帯域の信号を通過させる第１のバンドパスフィルタと、前記検波器で生成された前記第１のアナログ音声信号のうち、前記第１の周波数帯域よりも高い第２の周波数帯域の信号を通過させる第２のバンドパスフィルタと、前記第１のバンドパスフィルタを通過した信号の強度と、前記第２のバンドパスフィルタを通過した信号の強度とを検出する信号強度検出器と、前記混合器で生成された前記中間周波数信号を復調して前記中間周波数信号にデジタル変調信号が含まれるか否かを判定するとともに、前記中間放送周波数信号にデジタル変調信号が含まれると判定した場合には、前記中間周波数信号を復調することにより得られるデジタル音声信号を出力する復調器と、この復調器で生成されたデジタル音声信号をアナログ変換して第２のアナログ音声信号を生成するＤ／Ａ変換器と、前記第１のアナログ音声信号と前記第２のアナログ音声信号とを切り替えて出力する切替器と、この切替器から出力される前記第１のアナログ音声信号または前記第２のアナログ音声信号を音声に変換して出力するスピーカと、前記スピーカからの前記第１のアナログ音声信号または前記第２のアナログ音声信号の出力を停止させるミュート回路と、外部からの選局指示に応じて、前記ＰＬＬ回路から前記局部発振器に供給する制御信号を設定するための指示信号を出力するとともに、前記電界強度検出器で検出した電界強度が所定の電界強度以下のとき、または前記第１のバンドパスフィルタを通過した信号の強度が所定の第１の信号強度以下のとき、または前記第２のバンドパスフィルタを通過した信号の強度が前記第１のバンドパスフィルタを通過した信号の強度以上のとき、前記ＰＬＬ回路に指示信号を出力してから所定の第１の時間が経過するまでの期間は前記スピーカからの出力を停止するように前記ミュート回路を制御し、前記電界強度検出器で検出した電界強度が所定の電界強度より大きく、かつ前記第１のバンドパスフィルタを通過した信号の強度が所定の第１の信号強度より大きく、かつ前記第２のバンドパスフィルタを通過した信号の強度が前記第１のバンドパスフィルタを通過した信号の強度強度より小さいとき、前記ＰＬＬ回路に指示信号を出力してから前記第１の時間より長い第２の時間経過するまでの期間は前記スピーカからの出力を停止するように前記ミュート回路を制御する制御器とを備えることを特徴とする。
【発明の効果】
【００１０】
本発明のラジオ受信機は、中間周波数信号の電界強度、および中間周波数信号をＡＭ検波して得られる信号における所定の周波数帯域の信号強度に基づいて、オールデジタル方式のＨＤラジオ放送を受信しているかどうかを判断し、オールデジタル方式のＨＤラジオ放送を受信した場合は、音声出力開始時において音声出力をミュートする時間を、その他のアナログ放送等を受信した場合の音声出力開始時のミュート時間である第１の時間よりも長い第２の時間とするので、オールデジタル方式のＨＤラジオ放送の音声出力開始時にノイズが出力されることを防止することができる。
【発明を実施するための最良の形態】
【００１１】
以下、本発明のラジオ受信機を実施するための最良の形態について、図面を参照して説明する。
【００１２】
（第１の実施の形態）
図１は本発明の第１の実施の形態に係るラジオ受信機の構成を示すブロック図である。図１に示すように第１の実施の形態に係るラジオ受信機は、アンテナ１と、ＲＦアンプ２と、混合器３と、局部発振器４と、ＰＬＬ回路５と、ＩＦアンプ６と、デジタル放送復調器７と、ＩＦ検波器８と、Ｓメータ検出器９と、ＩＦカウンタ検出器１０と、Ｄ／Ａ変換器１１と、切替器１２と、アンプ１３と、ミュート回路１４と、スピーカ１５と、バンドパスフィルタ（ＢＰＦ）１６と、パワー検出器１７と、制御器１８とを備える。
【００１３】
アンテナ１は、放送信号を受信し、受信信号を出力する。ＲＦアンプ２は、アンテナ１からの受信信号を増幅する。
【００１４】
混合器３は、ＲＦアンプ２で増幅された受信信号と局部発振器４で生成される局部発振信号とを混合することにより、受信信号に含まれる所定の放送周波数の信号をＩＦ信号に変換する。
【００１５】
局部発振器４は、局部発振信号を生成し、混合器３に出力する。ＰＬＬ回路５は、制御器１８から入力されるＮ値（指示信号）に基づいて、局部発振器４にＤＣ電圧（制御信号）を供給することにより、局部発振器４で生成される局部発振信号の周波数を設定する。
【００１６】
ＩＦアンプ６は、混合器３で生成されたＩＦ信号を増幅する。デジタル放送復調器７は、ＩＦアンプ６からのＩＦ信号を復調し、復調により得られるデータに“ＨＤ Ａｃｑｕｉｒｅｄ”と呼ばれるデータが含まれるかどうかにより、ＩＦ信号にデジタル変調信号が含まれるかどうかを判定する。ＩＦ信号にデジタル変調信号が含まれる場合には、デジタル放送復調器７は、ＩＦ信号を復調することにより得られるデジタル音声信号をＤ／Ａ変換器１１に出力するとともに、切替指示を切替器１２に出力する。
【００１７】
ＩＦ検波器８は、ＩＦアンプ６で増幅されたＩＦ信号をＡＭ検波し、アナログ音声信号を出力する。Ｓメータ検出器９は、ＩＦアンプ６で増幅されたＩＦ信号の電界強度を検出する。ＩＦカウンタ検出器１０は、ＩＦアンプ６で増幅されたＩＦ信号の周波数をカウントする。
【００１８】
Ｄ／Ａ変換器１１は、デジタル放送復調器７からのデジタル音声信号をアナログ音声信号に変換して出力する。切替器１２は、ＩＦ検波器８で生成されたアナログ音声信号、Ｄ／Ａ変換器１１で生成されたアナログ音声信号のうちの一方を選択してアンプ１３に出力する。
【００１９】
アンプ１３は、切替器１２からのアナログ音声信号を増幅してミュート回路１４に出力する。ミュート回路１４は、制御器１８により制御され、アンプ１３からのアナログ音声信号をそのまま出力するか、もしくは出力を停止する。スピーカ１５は、ミュート回路１４から出力されるアナログ音声信号を音声に変換して出力する。
【００２０】
バンドパスフィルタ１６は、ＩＦ検波器８で生成されたアナログ音声信号のうち、所定の周波数帯域の信号を通過させる。パワー検出器１７は、バンドパスフィルタ１６の出力信号の信号強度を検出する。
【００２１】
制御器１８は、Ｓメータ検出器９で検出した電界強度と、パワー検出器１７で検出した信号強度とに基づいて、オールデジタル方式のＨＤラジオ放送（ＭＡ３）を受信しているかどうかを判断し、その判断の結果に基づいてミュート回路１４を制御する。また、制御器１８は、外部からの選局指示に応じて、Ｎ値（指示信号）をＰＬＬ回路５に出力する。
【００２２】
次に、第１の実施の形態に係るラジオ受信機の動作を図２に示したフローチャートを参照して説明する。
【００２３】
まず、外部から所望の放送局を示す選局指示が制御器１８に入力されると、ステップＳ１１０において、制御器１８は、選局指示に基づいてＰＬＬ回路５にＮ値を送信する。ＰＬＬ回路５は、制御器１８からのＮ値に基づいて、局部発振器４で生成される局部発振信号の周波数を設定するためのＤＣ電圧を局部発振器４に供給する。そして、局部発振器４は、ＰＬＬ回路５から供給されるＤＣ電圧に応じた周波数の局部発振信号を生成し、混合器３に供給する。
【００２４】
混合器３は、アンテナ１から入力される受信信号と局部発振器４から供給される局部発振信号とを混合して、受信信号に含まれる所望の放送局の放送周波数の信号をＩＦ信号に変換する。混合器３で生成されたＩＦ信号は、ＩＦアンプ６で増幅された後、デジタル放送復調器７、ＩＦ検波器８、Ｓメータ検出器９、およびＩＦカウンタ検出器１０に供給される。
【００２５】
ＩＦ検波器８は、ＩＦアンプ６からのＩＦ信号をＡＭ検波してアナログ音声信号を生成し、これを切替器１２およびバンドパスフィルタ１６に出力する。バンドパスフィルタ１６は、ＩＦ検波器８で生成されたアナログ音声信号のうち、所定の周波数帯域の信号を通過させ、パワー検出器１７は、バンドパスフィルタ１６の出力信号の信号強度を検出する。また、Ｓメータ検出器９はＩＦ信号の電界強度を検出し、ＩＦカウンタ検出器１０はＩＦ信号の周波数をカウントする。
【００２６】
ステップＳ１２０では、制御器１８は、Ｓメータ検出器９の出力を読み出し、Ｓメータ検出器９で検出されたＩＦ信号の電界強度Ｘが、所定のスレショルド値Ａより大きいかどうかを判断する。デジタル受信のためには、ある程度の信号強度が必要となるため、ステップＳ１２０においてデジタル受信をするために十分な強度の信号を受信しているかどうかの判断をする。Ｘ＞Ａである（ステップＳ１２０：ＹＥＳ）の場合はステップＳ１３０に進み、Ｘ＞Ａでない（ステップＳ１２０：ＮＯ）場合はステップＳ１５０に進む。
【００２７】
ステップＳ１３０では、制御器１８は、パワー検出器１７の出力を読み出し、パワー検出器１７で検出されたバンドパスフィルタ１６の出力信号の信号強度Ｙが、所定のスレショルド値Ｂより大きいかどうかを判断する。
【００２８】
ここで、図３にＡＭバンドでのハイブリッド方式（ＭＡ１：アナログ変調とデジタル変調のハイブリッド）のＨＤラジオ変調スペクトラムの概略図を示す。図３に示すように、ハイブリッド方式のＨＤラジオ放送（ＭＡ１）の放送信号は、アナログ変調信号（−５〜５ｋＨｚ）の両外側領域（−１５〜−５ｋＨｚ，５〜１５ｋＨｚ）にデジタル変調信号が付加されている。
【００２９】
図４にＡＭバンドでのオールデジタル方式（ＭＡ３）のＨＤラジオ変調スペクトラムの概略図を示す。図４に示すように、オールデジタル方式のＨＤラジオ放送（ＭＡ３）の放送信号は、ＡＭアナログラジオ放送におけるアナログ変調信号がデジタル変調信号（ＯＦＤＭ）に置き換えられている。
【００３０】
図５はＡＭアナログラジオ放送の放送信号を中心周波数で受信したときのＩＦ検波器８におけるＡＭ検波スペクトラムの概略図、図６は図３に示すハイブリッド方式のＨＤラジオ放送（ＭＡ１）の放送信号を中心周波数で受信したときのＩＦ検波器８におけるＡＭ検波スペクトラムの概略図、図７は図４に示すオールデジタル方式のＨＤラジオ放送（ＭＡ３）の放送信号を中心周波数で受信したときのＩＦ検波器８におけるＡＭ検波スペクトラムの概略図である。
【００３１】
一般に、アナログ変調信号をＡＭ検波した信号を周波数軸で表すと、図５および図６の０〜５ｋＨｚ付近の範囲に示されるように、周波数が高くなるにつれてパワーが減少する。
【００３２】
一方、デジタル変調信号は、周波数あたりのパワーが一定として考えることができるため、デジタル変調信号をＡＭ検波した信号を周波数軸で表すと、図７に示されるように、単位周波数当たり一定値の復調波形が得られる。
【００３３】
図８にバンドパスフィルタ１６の特性の一例を示す。図８に示すように、バンドパスフィルタ１６の中心周波数を３．５ｋＨｚ、通過帯域を２〜５ｋＨｚとすると、図７に示す信号がバンドパスフィルタ１６に入力されたときの出力信号強度は、図５および図６に示す信号がバンドパスフィルタ１６に入力されたときの出力信号強度よりも大きくなる。
【００３４】
よって、ＩＦ検波器８によるＡＭ検波で得られた信号をバンドパスフィルタ１６に入力し、その出力信号の信号強度を検出し、その信号強度Ｙを所定のスレショルド値Ｂと比較することにより、オールデジタル方式のＨＤラジオ放送（ＭＡ３）を受信しているのか、あるいはアナログラジオ放送またはハイブリッド方式のＨＤラジオ放送（ＭＡ１）を受信しているのかを判断することができる。
【００３５】
Ｙ＞Ｂである（ステップＳ１３０：ＹＥＳ）場合、つまりオールデジタル方式のＨＤラジオ放送（ＭＡ３）を受信している場合はステップＳ１４０に進み、Ｙ＞Ｂでない（ステップＳ１３０：ＮＯ）場合、つまりアナログラジオ放送またはハイブリッド方式のＨＤラジオ放送（ＭＡ１）を受信している場合はステップＳ１５０に進む。
【００３６】
デジタル放送復調器７にＩＦアンプ６からＩＦ信号が入力されると、デジタル放送復調器７は、このＩＦ信号を復調し、復調により得られるデータに“ＨＤ Ａｃｑｕｉｒｅｄ”が含まれるかどうかにより、ＩＦ信号にデジタル変調信号が含まれるかどうかを判定する。ＩＦ信号にデジタル変調信号が含まれる場合には、デジタル放送復調器７は、ＩＦ信号を復調することにより得られるデジタル音声信号をＤ／Ａ変換器１１に出力するとともに、切替指示を切替器１２に出力する。
【００３７】
Ｄ／Ａ変換器１１は、デジタル放送復調器７からデジタル音声信号が入力されると、このデジタル音声信号をアナログ音声信号に変換して切替器１２に出力する。
【００３８】
切替器１２は、ＩＦ検波器８で生成されたアナログ音声信号が入力されると、このアナログ音声信号をアンプ１３に出力する。ＩＦ信号にデジタル変調信号が含まれる場合には、ＩＦ検波器８で生成されたアナログ音声信号が入力されるのに遅れて、Ｄ／Ａ変換器１１からのアナログ音声信号と、デジタル放送復調器７からの切替指示とが切替器１２に入力される。Ｄ／Ａ変換器１１からのアナログ音声信号が遅れて入力されるのは、デジタル放送復調器７での復調処理に時間を要するためである。
【００３９】
そして、デジタル放送復調器７からの切替指示が入力されると、切替器１２は、ＩＦ検波器８からのアナログ音声信号に替えて、Ｄ／Ａ変換器１１からのアナログ音声信号をアンプ１３に出力する。そして、アンプ１３は、切替器１２からのアナログ音声信号を増幅してミュート回路１４に出力する。
【００４０】
従来のラジオ受信機においては、図９のタイミングチャートに示すように、ＰＬＬ回路がＮ値を受信してからＰＬＬ回路がロックされるまでの期間（時刻ｔ１〜ｔ２）、音声出力をミュートすることにより、不要なノイズが出力されることを防止していた。
【００４１】
ここで、オールデジタル放送（ＭＡ３）を受信した場合は、上述のように、デジタル音声信号をＤ／Ａ変換して生成されたアナログ音声信号が出力される時刻ｔ３以前は、ＩＦ信号をＡＭ検波して生成されたアナログ音声信号が出力される。このため、図１０のタイミングチャートに示すように、ＰＬＬ回路がロックされたタイミング（時刻ｔ２）で音声出力を開始すると、ＰＬＬ回路がロックされてから、デジタル音声信号をＤ／Ａ変換して生成されたアナログ音声信号が出力されるまでの期間（時刻ｔ２〜ｔ３）に、ＩＦ信号をＡＭ検波して生成されたアナログ音声信号がホワイトノイズとして出力される。
【００４２】
そこで、ステップＳ１４０では、制御器１８は、Ｎ値を送信してからＰＬＬ回路５がロックされるまでの時間（第１の時間）よりも長い第２の時間だけ、アンプ１３からスピーカ１５へのアナログ音声信号の出力を停止するようにミュート回路１４にミュート制御信号を送信する。第２の時間経過後は、制御器１８は、アンプ１３からのアナログ音声信号をそのまま出力するようにミュート回路１４を制御する。そして、ミュート回路１４から出力されるアナログ音声信号はスピーカ１５で音声に変換されて出力される。
【００４３】
ここで、第２の時間は、図１１のタイミングチャートに示すように、ＰＬＬ回路がＮ値を受信してから、デジタル音声信号をＤ／Ａ変換して生成されたアナログ音声信号が出力されるまでの期間（時刻ｔ１〜ｔ３）よりも長い時刻ｔ１〜ｔ４の期間、音声出力がミュートされるように設定する。これにより、ホワイトノイズをマスクすることができる。
【００４４】
ステップＳ１５０では、制御器１８は、Ｎ値を送信してからＰＬＬ回路５がロックされるまでの時間（第１の時間）だけ、アンプ１３からスピーカ１５へのアナログ音声信号の出力を停止するようにミュート回路１４にミュート制御信号を送信する。第１の時間経過後は、制御器１８は、アンプ１３からのアナログ音声信号をそのまま出力するようにミュート回路１４を制御する。そして、ミュート回路１４から出力されるアナログ音声信号はスピーカ１５で音声に変換されて出力される。ここで、第１の時間は予め制御器１８に設定されている。
【００４５】
このように第１の実施の形態によれば、Ｓメータ検出器９の出力およびバンドパスフィルタ１６の出力信号の信号強度に基づいて、オールデジタル方式のＨＤラジオ放送を受信しているかどうかを判断し、オールデジタル方式のＨＤラジオ放送を受信している場合は、音声出力開始時において音声出力をミュートする時間を、アナログ放送またはハイブリッド方式のＨＤラジオ放送を受信した場合の音声出力開始時のミュート時間（第１の時間）よりも長い第２の時間とするので、オールデジタル方式のＨＤラジオ放送の音声出力開始時にノイズが出力されることを防止することができる。
【００４６】
（第２の実施の形態）
図１２は本発明の第２の実施の形態に係るラジオ受信機の構成を示すブロック図である。なお、図１に示す第１の実施の形態に係るラジオ受信機と重複する部分には、同一の符号を付して重複する部分の説明を省略する。
【００４７】
図１２に示すように、第２の実施の形態に係るラジオ受信機は、第１の実施の形態に係るラジオ受信機に対し、バンドパスフィルタ１６をフィルタ部２０に置き換えた構成である。
【００４８】
フィルタ部２０は、バンドパスフィルタ２１，２２と、スイッチ２３とを備える。バンドパスフィルタ２１は、第１の実施の形態におけるバンドパスフィルタ１６と同様の特性（中心周波数および通過帯域）を有している。バンドパスフィルタ２２は、バンドパスフィルタ２１の通過帯域よりも高い所定の周波数帯域の信号を通過させるような特性を有している。
【００４９】
スイッチ２３は端子２３ａ，２３ｂ，２３ｃを備え、制御器１８からの制御に基づいて端子２３ａ−２３ｂが接続されたときにはＩＦ検波器８とバンドパスフィルタ２１とが接続され、端子２３ａ−２３ｃが接続されたときにはＩＦ検波器８とバンドパスフィルタ２２とが接続される。
【００５０】
なお、フィルタ部２０は、ＩＩＲフィルタ、ＦＩＲフィルタ等のデジタルフィルタで実現することもできる。この場合、制御器１８から送信されるパラメータに基づいて、バンドパスフィルタの中心周波数および帯域幅が設定される。
【００５１】
次に、第２の実施の形態に係るラジオ受信機の動作を図１３に示したフローチャートを参照して説明する。
【００５２】
図１３に示すフローチャートにおけるステップＳ２１０，Ｓ２２０は、第１の実施の形態で説明した図２に示すフローチャートにおけるステップＳ１１０，Ｓ１２０と同様であるため説明を省略する。
【００５３】
ステップＳ２３０において、制御器１８は、スイッチ２３の端子２３ａ−２３ｂを接続して、ＩＦ検波器８で生成されたアナログ音声信号をバンドパスフィルタ２１に入力し、バンドパスフィルタ２１の出力信号の強度をパワー検出器１７で検出するように制御する。そして、制御器１８は、パワー検出器１７の出力を読み出し、パワー検出器１７で検出されたバンドパスフィルタ２１の出力信号の信号強度Ｙが、所定のスレショルド値Ｂより大きいかどうかを判断する。Ｙ＞Ｂである（ステップＳ２３０：ＹＥＳ）場合、ステップＳ２４０に進む。Ｙ＞Ｂでない（ステップＳ２３０：ＮＯ）場合はステップＳ２６０に進む。
【００５４】
次に、ステップＳ２４０では、制御器１８は、スイッチ２３の端子２３ａ−２３ｃを接続して、ＩＦ検波器８で生成されたアナログ音声信号をバンドパスフィルタ２２に入力し、バンドパスフィルタ２２の出力信号の強度をパワー検出器１７で検出するように制御する。そして、制御器１８は、パワー検出器１７の出力を読み出し、パワー検出器１７で検出されたバンドパスフィルタ２２の出力信号の信号強度Ｚが、ステップＳ２３０において検出されたバンドパスフィルタ２１の出力信号の信号強度Ｙより小さいかどうかを判断する。Ｚ＜Ｙである（ステップＳ２４０：ＹＥＳ）場合、ステップＳ２５０に進み、Ｚ＜Ｙでない（ステップＳ２４０：ＮＯ）場合、ステップＳ２６０に進む。
【００５５】
図１４はバンドパスフィルタ２２の特性の一例を示す図である。図１４に示すように、例えばバンドパスフィルタ２２の中心周波数は６．５ｋＨｚ、通過帯域は５〜８ｋＨｚとする。
【００５６】
オールデジタル方式のＨＤラジオ放送（ＭＡ３）を受信した場合、ＩＦ信号をＡＭ検波すると図７に示すような検波信号が得られるが、副サイドバンド（５〜１０ｋＨｚ）は主サイドバンド（０〜５ｋＨｚ）よりも信号強度が小さくなっているため、図７に示す検波信号がバンドパスフィルタ２２に入力されたときの出力信号強度は、図７に示す検波信号がバンドパスフィルタ２１に入力されたときの出力信号強度よりも小さくなる。
【００５７】
一方、ハイブリッド方式のＨＤラジオ放送（ＭＡ１）を受信した場合、ＩＦ信号をＡＭ検波すると図６に示すような検波信号が得られるが、バンドパスフィルタ２１の通過帯域（２〜５ｋＨｚ）では、デジタル変調信号の検波信号の副サイドバンド（５〜１０ｋＨｚ）よりも信号強度が小さくなっている。このため、図６に示す検波信号がバンドパスフィルタ２２に入力されたときの出力信号強度は、図６に示す検波信号がバンドパスフィルタ２１に入力されたときの出力信号強度よりも大きくなる。
【００５８】
したがって、ＩＦ検波器８で生成された検波信号をバンドパスフィルタ２２に入力し、バンドパスフィルタ２２の出力信号の信号強度Ｚを、バンドパスフィルタ２１の出力信号の信号強度Ｙと比較することにより、オールデジタル放送（ＭＡ３）を受信しているのか、ハイブリッド放送（ＭＡ１）を受信しているのかを精度良く判断することができる。
【００５９】
ステップＳ２５０，Ｓ２６０は、第１の実施の形態で説明した図２に示すフローチャートにおけるステップＳ１４０，Ｓ１５０と同様であるため説明を省略する。
【００６０】
このように第２の実施の形態によれば、第１の実施の形態のラジオ受信機に対して、バンドパスフィルタ２２の出力信号の信号強度に基づく判断を加えたので、オールデジタル方式のＨＤラジオ放送を受信しているかどうかの判断精度を高めることができ、オールデジタル方式のＨＤラジオ放送の音声出力開始時にノイズが出力されることをより確実に防止することができる。
【図面の簡単な説明】
【００６１】
【図１】本発明の第１の実施の形態に係るラジオ受信機の構成を示すブロック図である。
【図２】図１に示すラジオ受信機における動作の手順を示すフローチャートである。
【図３】ＡＭバンドでのハイブリッド方式（ＭＡ１）のＨＤラジオ変調スペクトラムの概略図である。
【図４】ＡＭバンドでのオールデジタル方式（ＭＡ３）のＨＤラジオ変調スペクトラムの概略図である。
【図５】ＡＭアナログラジオ放送の放送信号を中心周波数で受信したときのＡＭ検波スペクトラムの概略図である。
【図６】図３に示す放送信号を中心周波数で受信したときのＡＭ検波スペクトラムの概略図である。
【図７】図４に示す放送信号を中心周波数で受信したときのＡＭ検波スペクトラムの概略図である。
【図８】図１に示すラジオ受信機におけるバンドパスフィルタの特性の一例を示す図である。
【図９】ＡＭアナログラジオ放送受信時の音声出力のタイミングを示すタイミングチャートである。
【図１０】オールデジタル方式のＨＤラジオ放送（ＭＡ３）受信時の音声出力のタイミングを示すタイミングチャートである。
【図１１】図１に示すラジオ受信機におけるオールデジタル方式のＨＤラジオ放送（ＭＡ３）受信時の音声出力のタイミングを示すタイミングチャートである。
【図１２】本発明の第２の実施の形態に係るラジオ受信機の構成を示すブロック図である。
【図１３】図１２に示すラジオ受信機における動作の手順を示すフローチャートである。
【図１４】図１２に示すラジオ受信機におけるバンドパスフィルタ２２の特性の一例を示す図である。
【符号の説明】
【００６２】
１    アンテナ
２    ＲＦアンプ
３    混合器
４    局部発振器
５    ＰＬＬ回路
６    ＩＦアンプ
７    デジタル放送復調器
８    ＩＦ検波器
９    Ｓメータ検出器
１０    ＩＦカウンタ検出器
１１    Ｄ／Ａ変換器
１２    切替器
１３    アンプ
１４    ミュート回路
１５    スピーカ
１６，２１，２２    バンドパスフィルタ（ＢＰＦ）
１７    パワー検出器
１８    制御器
２０    フィルタ部
２３    スイッチ
【図１】
2008113300.tif 000003
【図２】
2008113300.tif 000004
【図３】
2008113300.tif 000005
【図４】
2008113300.tif 000006
【図５】
2008113300.tif 000007
【図６】
2008113300.tif 000008
【図７】
2008113300.tif 000009
【図８】
2008113300.tif 000010
【図９】
2008113300.tif 000011
【図１０】
2008113300.tif 000012
【図１１】
2008113300.tif 000013
【図１２】
2008113300.tif 000014
【図１３】
2008113300.tif 000015
【図１４】
2008113300.tif 000016